(57)【要約】【課題】患者に余計な手間をかけさせることなく、入院している患者の履物を適切に殺菌できるようにする。【解決手段】ベッド近傍の履物を脱ぐ所定の位置に履物が置かれていることを検出する履物検出部１と、ベッド上に人が居ることを検出するベッドセンサー２とを備え、履物検出部１にて履物が置かれていることを検出してから所定時間内にベッドセンサー２にてベッド上の人を検出した場合に、制御部５が紫外線照射部３を動作させ、紫外線照射部３が履物を脱ぐ所定の位置に対して紫外線を照射するようにしている。これにより、履物を所定の位置に置くだけではなく、履物を所定の位置に置いた後で、履物を履いていた患者がベッドに乗った場合にのみ紫外線が履物に照射されるので、患者は、履物を所定の位置で脱いでベッドに乗るだけで履物の殺菌が行われる。従って、患者に余計な手間をかけさせることなく、履物を適切に殺菌することができる。【選択図】図１
2015043806.tif 000002
【特許請求の範囲】
【請求項１】
ベッド近傍の床面であり、患者が履いていた履物を脱ぐ所定の位置に前記履物が置かれていることを検出する履物検出部と、
前記ベッド上に人が居ることを検出するベッドセンサーと、
前記所定の位置に対して殺菌のための紫外線を照射する紫外線照射部と、
時間を計測するタイマーと、
前記履物が置かれていることを前記履物検出部にて検出した場合に、前記タイマーを動作させ、前記タイマーが計測した時間が所定時間となるまでに前記ベッド上に人が居ることを前記ベッドセンサーにて検出した場合に、前記紫外線照射部を動作させる制御部と、
を備えたことを特徴とする履物用殺菌装置。
【発明の詳細な説明】
【技術分野】
【０００１】
本発明は、履物を殺菌するための履物用殺菌装置に関し、特に、病院内のベッドの近傍で使用され、患者が履いている履物を殺菌するためのものである。
【背景技術】
【０００２】
一般的に、病院に入院している患者は、病院内を移動する際にはスリッパなどの履物を履き、ベッドに居る際には履物を脱いでいた。そのため、患者が病院内を移動することにより、患者が履いている履物には様々な細菌が付着することがあった。
【０００３】
履物に付着した細菌を殺菌する技術として、使用済のスリッパを収納箱に納め、かつ、収納箱の開閉扉が閉状態である場合に、自動的に紫外線殺菌灯やオゾン発生器を稼働させて、スリッパの殺菌を行うものが知られている（例えば、特許文献１を参照）。
【先行技術文献】
【特許文献】
【０００４】
【特許文献１】特開２０１１−５６２２４号公報
【発明の概要】
【発明が解決しようとする課題】
【０００５】
しかしながら、上述した特許文献１に記載の殺菌装置を各ベッドの近傍に設置した場合、各患者が自身の履物を収納箱に収納し、開閉扉を閉じなければならないため、患者に余計な手間をかけさせてしまうという問題があった。
【０００６】
本発明は、このような問題を解決するために成されたものであり、患者に余計な手間をかけさせることなく、入院している患者の履物を適切に殺菌できるようにすることを目的とする。
【課題を解決するための手段】
【０００７】
上記した課題を解決するために、本発明では、ベッド近傍の履物を脱ぐ所定の位置に履物が置かれていることを検出する履物検出部と、ベッド上に人が居ることを検出するベッドセンサーとを備え、履物検出部にて履物が置かれていることを検出してから所定時間内にベッドセンサーにてベッド上の人を検出した場合に、履物を脱ぐ所定の位置に対して紫外線を照射するようにしている。
【発明の効果】
【０００８】
上記のように構成した本発明によれば、履物を所定の位置に置くだけではなく、履物を所定の位置に置いた後で、履物を履いていた患者がベッドに乗った場合にのみ紫外線が履物に照射されるので、患者は、履物を所定の位置で脱いでベッドに乗るだけで履物の殺菌が行われ、患者に余計な手間をかけさせることなく、履物を適切に殺菌することができる。
【図面の簡単な説明】
【０００９】
【図１】本実施形態による履物用殺菌装置の構成例を示すブロック図である。
【図２】本実施形態による履物用殺菌装置の外観例を示す図である。
【発明を実施するための形態】
【００１０】
以下、本発明の一実施形態を図面に基づいて説明する。図１は、本実施形態による履物用殺菌装置の構成例を示すブロック図である。また、図２は、本実施形態による履物用殺菌装置の外観例を示す図である。図１に示すように、本実施形態の履物用殺菌装置は、履物検出部１、ベッドセンサー２、紫外線照射部３、タイマー４、制御部５を備えて構成されている。
【００１１】
履物検出部１は、マットセンサーなどにより構成されており、ベッド近傍の床面の、患者が履いていた履物を脱ぐ所定の位置に履物が置かれていることを検出する。ここで、図２に示すように、履物検出部１を構成するマットセンサーの上に履物が置かれた場合、履物検出部１は履物検出信号を生成する。
【００１２】
ベッドセンサー２は、マットセンサーなどにより構成されており、ベッド上に患者が居ることを検出する。ここで、図２に示すように、ベッドセンサー２を構成するマットセンサーはベッド上に設置されている。また、ベッド上に患者が乗った場合に、ベッドセンサー２は患者検出信号を生成する。
【００１３】
紫外線照射部３は、図２に示すように、ベッドの側面などに設置されており、前述した患者が履いていた履物を脱ぐ所定の位置に対して紫外線を照射する。ここで、紫外線照射部３と所定の位置との距離により紫外線照射部３が紫外線を照射する時間が決まる。
【００１４】
タイマー４は、時間を計測するためのものであり、計測した時間情報を出力する。制御部５は、履物用殺菌装置の各構成要素を後述するように制御するためのものであり、ＣＰＵ（Central Processing Unit）などにより構成されている。
【００１５】
すなわち、履物が置かれていることを履物検出部１にて検出した場合に、制御部５は、タイマー４を動作させ、タイマー４が計測した時間が所定時間となるまでにベッド上に人が居ることをベッドセンサー２にて検出した場合に、制御部５は、紫外線照射部３を動作させる。ここで、前述した所定時間は、患者が履物を脱いでからベッドに乗るまでの時間に該当し、例えば１分などに設定される。
【００１６】
次に、このように構成された履物用殺菌装置の動作を説明する。病院内を移動していた患者が履物を所定の位置で脱ぐと、履物検出部１が履物を検出して履物検出信号を制御部５へ出力する。また、制御部５は、タイマー４を動作させる。
【００１７】
タイマー４が計測した時間情報が所定時間となるまでに、履物を脱いだ患者がベッドに乗ると、ベッドセンサー２が患者を検出して患者検出信号を制御部５へ出力する。すると、制御部５は、紫外線照射部３を動作させ、紫外線照射部３は、履物に対して紫外線を一定の時間だけ照射する。
【００１８】
一方、ベッドセンサー２がベッド上の患者を検出していない状態で、患者などが所定の位置を通り過ぎると、履物検出部１が履物を検出して履物検出信号を出力するものの、タイマー４が計測した時間情報が所定時間になってもベッドセンサー２がベッド上の患者を検出しないため、制御部５は紫外線照射部３を動作させない。
【００１９】
また、ベッドセンサー２がベッド上の患者を検出している状態で、患者などが所定の位置を通り過ぎると、履物検出部１が履物を検出して履物検出信号を出力するものの、既にベッドセンサー２がベッド上の患者を検出しているため、制御部５は紫外線照射部３を動作させない。
【００２０】
以上詳しく説明したように、本実施形態の履物用殺菌装置では、ベッド近傍の履物を脱ぐ所定の位置に履物が置かれていることを検出する履物検出部１と、ベッド上に人が居ることを検出するベッドセンサー２とを備え、履物検出部１にて履物が置かれていることを検出してから所定時間内にベッドセンサー２にてベッド上の人を検出した場合に、制御部５が紫外線照射部３を動作させ、紫外線照射部３が履物を脱ぐ所定の位置に対して紫外線を照射するようにしている。
【００２１】
これにより、履物を所定の位置に置くだけではなく、履物を所定の位置に置いた後で、履物を履いていた患者がベッドに乗った場合にのみ紫外線が履物に照射されるので、患者は、履物を所定の位置で脱いでベッドに乗るだけで履物の殺菌が行われ、患者に余計な手間をかけさせることなく、履物を適切に殺菌することができる。
【００２２】
なお、前述した実施形態では、履物検出部１およびベッドセンサー２として、ともにマットセンサーを用いているが、これに限定されない。例えば、赤外線センサーや超音波センサーなどのセンサーを用いるようにしても良い。
【００２３】
また、前述した実施形態では、履物を殺菌するために紫外線照射部３にて紫外線を照射するようにしているが、これに限定されない。例えば、オゾン発生器などを用いるようにしても良い。すなわち、所定の位置に対して殺菌を行うための手段であれば、どのようなものであっても良い。
【００２４】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２５】
１    履物検出部
２    ベッドセンサー
３    紫外線照射部
４    タイマー
５    制御部
【図１】
2015043806.tif 000003
【図２】
2015043806.tif 000004